(57)【特許請求の範囲】
【請求項１】
互いに周波数の異なった多チャンネルの信号からなる入力信号から、設定された通過帯域内の信号を抽出し、且つ該通過帯域を制御可能なバンドパスフィルタと、
発振周波数を制御可能な発振器と、
前記バンドパスフィルタからの抽出信号と前記発振器からの発振信号とを混合して、前記抽出信号の周波数を変換する周波数変換手段と、
外部から指定された特定チャンネルの信号が、前記バンドパスフィルタを通過し、前記周波数変換手段にて予め設定された出力周波数の信号に変換されるよう、前記バンドパスフィルタの通過帯域および前記発振器の発振周波数を制御する選局制御手段と、
を備えた選局装置において、
前記バンドパスフィルタは、通過させるべき特定チャンネルの周波数が高いほど、通過帯域の帯域幅が高周波側に広がり、且つ該特定チャンネルの周波数が予め設定された切換周波数以上である場合、より高周波側に位置する全ての他チャンネルを通過帯域に含むよう構成され、
前記選局制御手段は、前記特定チャンネルの周波数が前記切換周波数より小さい場合は、該特定チャンネルの周波数より前記出力周波数だけ大きい発振周波数となるよう前記発振器を制御すると共に、選局すべきチャンネルの信号が通過するように前記バンドパスフィルタの通過帯域を変化させ、前記特定チャンネルの周波数が前記切換周波数以上の場合は、該特定チャンネルの周波数より前記出力周波数だけ小さい発振周波数となるよう前記発振器を制御すると共に、前記バンドパスフィルタの通過帯域を、前記切換周波数より高周波側に位置する全てのチャンネルの信号を通過させるものに固定することを特徴とする選局装置。
【請求項２】
前記出力周波数帯を通過帯域とし、前記周波数変換手段により混合された信号から前記特定チャンネルの信号のみを抽出する第２バンドパスフィルタを設けたことを特徴とする請求項１に記載の選局装置。
【発明の詳細な説明】
【０００１】
【発明の属する技術分野】
本発明は、互いに周波数の異なった多チャンネルの信号からなる入力信号から、特定チャンネルの信号を選局する選局装置に関し、特に、選局された信号の信号レベルを測定する信号レベル測定器等を構成するために用いられる選局装置に関する。
【０００２】
【従来の技術】
従来より、この種の選局装置は、放送衛星（ＢＳ）或いは通信衛星（ＣＳ）からの送信電波（１１Ｇ〜１２ＧＨｚ帯）を受信し、この受信信号に含まれる任意チャンネルの信号を抽出して復調するチューナーに使用されるものや、受信アンテナの偏波面調整等のために任意チャンネルの信号レベルを測定する信号レベル測定器等に使用されている。
【０００３】
ところで、チューナーや信号レベル測定器には、受信信号がそのまま入力されるのではなく、通常、受信アンテナに設けられたコンバータにて、受信信号を例えば９５０ＭＨｚ〜１８８０ＭＨｚ帯の信号に周波数変換してなる第１中間周波信号（以下、ＲＦ信号という）が入力される。そして、チューナーや信号レベル測定器では、内蔵する選局装置にて、ＲＦ信号の中から所望の特定チャンネルの信号を、４００ＭＨｚ帯（中心周波数４０２．７８ＭＨｚ）の第２中間周波信号（以下、ＩＦ信号という）に変換し、この選局装置が出力するＩＦ信号を用いて、信号の復調や信号レベルの検出を行っている。
【０００４】
なお、ＩＦ信号は、ＲＦ信号と局部発振信号（以下、ＬＯ信号という）とをミキサにて混合することにより生成され、ＲＦ信号の周波数をｆｒ，ＬＯ信号の周波数をｆｌとすると、ミキサで生成されるＩＦ信号の周波数ｆｉは、（１）式に示すものとなる。
【０００５】
ｆｉ＝｜ｆｒ±ｆｌ｜                                    （１）
つまり、所定周波数ｆｉのＩＦ信号を得るために用いられるＬＯ信号の周波数ｆｌは、ＲＦ信号に含まれる選局すべき特定チャンネルの周波数ｆｒより、周波数ｆｉだけ大きくても（このようなＬＯ信号をアッパーローカルと言う）、周波数ｆｉだけ小さくても（このようなＬＯ信号をロウワーローカルと言う）よい。しかし、ロウワーローカルを用いると、ＬＯ信号の発振周波数ｆｌを５４７．２２Ｍ〜１４７７．２２ＭＨｚに設定しなければならず、その一部がＵＨＦバンド（４７０〜７７０ＭＨｚ）と重なってしまうため、通常、アッパーローカルが用いられている。
【０００６】
また、アッパーローカルを用いた場合、ＲＦ信号のうち、周波数がｆｒ＝ｆｌ−ｆｉである信号成分を、ＩＦ信号として抽出することになるが、このときミキサでは、ＲＦ信号のうち、同じＬＯ信号をロウワーローカルとする信号成分、即ち周波数がｆｒ＝ｆｌ＋ｆｉである信号成分（イメージ信号という）も、同じ周波数ｆｉに変換されてしまう。
【０００７】
このようなイメージ信号が重畳されることを防止し、所望の信号成分のみをＩＦ信号に変換するため、例えば特開昭６１−７２４９０号公報に開示されているように、選局すべき特定チャンネルに応じて通過帯域を制御可能なチューナブルバンドパスフィルタ（以下、チューナブルＢＰＦという）をミキサの前段に設け、ミキサに入力する前に、ＲＦ信号からイメージ信号を除去することが行われている。
【０００８】
【発明が解決しようとする課題】
ところで、近年、衛星信号伝送のシステムが種々提案されており、それぞれのシステムにて、人工衛星からの受信信号をＲＦ信号に変換する際に用いられる局部発振信号の周波数として、様々なものが採用されている。その結果、チューナーや信号レベル測定器に入力されるＲＦ信号の周波数帯がシステム毎に異なったものとなっている。これに対して、信号レベル測定器では、どのシステムでも共通に使用できるように、より広い周波数範囲のＲＦ信号に対応できることが要求されている。
【０００９】
例えば、ＲＦ信号が９５０ＭＨｚ〜１８８０ＭＨｚ帯に設定されたものと、１３８５ＭＨｚ〜２１５０ＭＨｚ帯に設定されたものとで２種類のシステムがあり、ＲＦ信号に含まれる任意チャンネルの信号を、いずれも中心周波数４０２．７８ＭＨｚのＩＦ信号に変換する場合、各システム専用に作製された選局装置では、ＬＯ信号（アッパーローカル）の周波数をそれぞれ１３５２．７８ＭＨｚ〜２２８２．７８ＭＨｚ，１７８７．７８ＭＨｚ〜２５５２．７８ＭＨｚという最大９３０ＭＨｚの周波数幅で変化させればよかった。ところが、この選局装置を、両システムで共通に使用できるようにするには、両方の周波数領域を全て含んだ９５０ＭＨｚ〜２１５０ＭＨｚ帯のＲＦ信号に対応しなければならず、これに応じて、ＬＯ信号の周波数も１３５２．７８ＭＨｚ〜２５５２．７８ＭＨｚという１２００ＭＨｚの周波数幅の間で変化させることができるよう２７０ＭＨｚもの広帯域化を図らなければならない。
【００１０】
しかし、ＬＯ信号は、通常、電圧制御発振器を用いて、印加する制御電圧を変化させることにより周波数を変化させているため、ＬＯ信号の周波数を広帯域化する場合、この制御電圧の可変範囲を広げる必要があり、そのためには、より高電圧の電源を用意しなければならないという問題があった。
【００１１】
また、電圧制御発振器を構成する際に用いられ、印加電圧に応じて容量が変化するバリキャップは、印加電圧に対して十分な容量変化が得られる動作範囲が限られているため、制御電圧を増大させることなくＬＯ信号の周波数の広帯域化に対応するには、発振周波数帯の異なる複数種類の電圧制御発振器を用いて、これらを切り替えてＬＯ信号を生成するようにしなければならず、装置が複雑化，大型化してしまうという問題もあった。
【００１２】
本発明は、上記問題点を解決するために、制御電圧を増大させることなく、局部発振信号の周波数の広帯域化に対応可能な選局装置を提供することを目的とする。
【００１３】
【課題を解決するための手段】
上記目的を達成するためになされた発明である請求項１に記載の選局装置では、バンドパスフィルタが、互いに周波数の異なった多チャンネルの信号からなる入力信号から、設定された通過帯域内の信号を抽出し、周波数変換手段が、この抽出信号を、発振器からの発振信号と混合することにより、予め設定された出力周波数の信号に変換する。
なお、バンドパスフィルタは、通過させるべき特定チャンネルの周波数が高いほど、通過帯域の帯域幅が高周波側に広がり、且つ該特定チャンネルの周波数が予め設定された切換周波数以上である場合、より高周波側に位置する全ての他チャンネルを通過帯域に含むよう構成されている。
【００１４】
この時、選局制御手段は、外部から指定された特定チャンネルの信号が、バンドパスフィルタを通過し、周波数変換手段にて、予め設定された出力周波数の信号に変換されるように、バンドパスフィルタの通過帯域、及び発振器の発振周波数を制御する。
【００１５】
特に、選局すべき特定チャンネルの周波数が切換周波数より小さい場合は、該特定チャンネルの周波数より出力周波数だけ高い発振周波数（アッパーローカル）となるよう発振器を制御すると共に、選局すべきチャンネルの信号が通過するようにバンドパスフィルタの通過帯域を変化させ、一方、特定チャンネルの周波数が切換周波数以上の場合は、該特定チャンネルの周波数より出力周波数だけ低い発振周波数（ロウワーローカル）となるよう発振器を制御すると共に、バンドパスフィルタの通過帯域を、切換周波数より高周波側に位置する全てのチャンネルの信号を通過させるものに固定する。
【００１６】
即ち、比較的低い周波数領域のチャンネルを選局する場合には、発振器の発振周波数がＵＨＦバンドと重なり合うことがないようにアッパーローカルが用いられ、この発振周波数がＵＨＦバンドと重なり合うおそれがない比較的高い周波数領域のチャンネルを選局する場合には、ロウワーローカルを用いているのである。
【００１７】
そして、発振器が生成する発振信号の周波数領域が、ロウワーローカル時とアッパーローカル時とで重複するようにすれば、発振器での周波数制御範囲を広げることなく、より広い周波数範囲の入力信号を出力周波数の信号に変換することができる。
【００１８】
このように、本発明の選局装置によれば、広い周波数領域をカバーするために、複数の発振器を設けたり、特に発振器が電圧制御型の場合は制御信号を発生させるための電源電圧を高くしたりすることなく、入力信号の広帯域化に対応することができる。
【００１９】
また、換言すれば、入力信号を広帯域化する際に、発振器の発振周波数の制御範囲を広げる必要がなく、従来の発振器をそのまま使用することができるため、装置を簡易かつ安価に構成することができる。
なお、アッパーローカルを用いた場合では、周波数変換前と変換後とで周波数の並び方が反転し、ロウワーローカルを用いた場合では、周波数変換前と変換後とで周波数の並びは変化しない。このため、当該選局装置により選局した信号を、実際に復調して用いる場合には、注意を要するが、信号レベルを測定するだけであれば、周波数の並びは関係がないため、そのまま問題なく使用できる。つまり、本発明の選局装置は、信号レベル測定器を構成する際に極めて好適に用いることができる。
【００２１】
なお、ロウワーローカル時に固定されるバンドバスフィルタの通過帯域を上述のように設定できるのは、ロウワーローカルを用いた場合、イメージ信号は、変換すべき特定チャンネルより低い周波数領域に存在し、バンドパスフィルタにより、特定チャンネルより高周波側の信号を除去する必要がないためである。但し、最大周波数の特定チャンネルを選局する際に、そのイメージ信号がバンドパスフィルタの通過帯域内に含まれないように、この帯域固定時のバンドパスフィルタの帯域幅を、出力周波数の２倍より小さく設定する必要がある。
【００２２】
このように本発明の選局装置によれば、ロウワーローカル時には、バンドパスフィルタの通過帯域が固定されるため、バンドパスフィルタの制御範囲を小さくすることができる。その結果、バンドパスフィルタを、従来からあるバリキャップ等の素子を用いても単一の回路で構成できるため、装置を大型化することなく、入力信号の広帯域化を図ることができる。
【００２３】
また次に、請求項２に記載の選局装置では、第２バンドパスフィルタが、出力周波数帯を通過帯域とし、周波数変換手段により混合された信号から特定チャンネルの信号のみを抽出する。即ち、バンドパスフィルタが、複数チャンネルの信号を通過させる設定となっている場合、ミキサの出力は、出力周波数に変換された特定チャンネルの信号以外に、不要な信号が重畳されているため、この不要な信号を除去しているのである。
【００２４】
従って、この選局装置を用いて信号レベル測定器を構成する場合、別途、出力周波数に変換された特定チャンネルを抽出するための手段を設けることなく、選局装置が出力する信号をそのまま用いてレベル測定を行えばよいため、装置を簡単に構成することができる。
【００２５】
【発明の実施の形態】
以下に本発明の実施例を図面と共に説明する。
図２は、本実施例の選局装置が適用された信号レベル測定器の全体構成を表すブロック図である。
【００２６】
なお、信号レベル測定器２は、人工衛星から垂直２偏波の送信電波（１１〜１２ＧＨｚ帯）を受信し、その受信信号をコンバータ６にて所定周波数帯（９５０ＭＨｚ〜２１５０ＭＨｚ）の第１中間周波信号（ＲＦ信号）に変換して出力する衛星信号受信用パラボラアンテナ（受信アンテナ）４に接続され、この受信アンテナ４からのＲＦ信号に含まれる任意チャンネルの信号レベルを測定するものである。
【００２７】
また、受信アンテナ４のコンバータ６は、伝送線８を介して信号レベル測定器２から電源供給を受けると共に、同じ信号線８を介してＲＦ信号を信号レベル測定器２に供給し、しかも供給される電源電圧（１１Ｖ／１５Ｖ）に応じて、ＲＦ信号として出力する偏波信号（垂直／水平）が切り換わるように構成された周知のものである。
【００２８】
そして、図２に示すように、信号レベル測定器２は、入力端子１０に接続された伝送線８にコンバータ６の電源となる直流成分を印加すると共に、伝送線８を介して入力されるコンバータ６からのＲＦ信号を直流成分から分離する電源分離フィルタ１２と、後述する切換信号Ｓｃ，選局信号Ｓｓに従って、ＲＦ信号中の特定チャンネルの信号を４００ＭＨｚ帯（中心周波数４０２．７８ＭＨｚ；出力周波数に相当）の第２中間周波信号（ＩＦ信号）に変換して出力する選局装置１４と、選局装置１４からのＩＦ信号を復調する復調回路１６と、復調回路１６にて生成された復調信号の電圧レベル（即ち選局装置１４が選局したチャンネルの信号レベル）をデジタル信号に変換するＡ／Ｄコンバータ１８とを備えている。
【００２９】
また、信号レベル測定器２は、信号レベルの測定対象となるチャンネル等を指定するための操作部２０と、液晶表示パネル等からなる表示装置２２と、この表示装置２２を駆動する表示制御回路２４と、偏波選択信号Ｓｖに従って、水平偏波指定用の高電圧（１５Ｖ）或いは垂直偏波選択用の低電圧（１１Ｖ）のいずれかを生成し、電源分離フィルタ１２に供給する電圧発生回路２６と、ＣＰＵ２８ａ，ＲＯＭ２８ｂ，及びＲＡＭ２８ｃを中心に構成された周知のマイクロコンピュータからなり、操作部２０での操作に従って電圧発生回路２６を制御するための偏波選択信号Ｓｖを設定する偏波選択制御、及び同じく操作部２０での操作等に従って選局装置１４を制御するための切換信号Ｓｃ，選局信号Ｓｓを設定する選局制御、Ａ／Ｄコンバータ１８を介して読み込んだ電圧レベルに基づき、選局装置１４にて選局されたチャンネルの信号レベル等を表示制御回路２４を介して表示装置２２に表示させる表示制御等を実行する制御回路２８とを備えている。
【００３０】
ここで、この信号レベル測定器２の主要部である本実施例の選局装置１４は、図１に示すように、電源分離フィルタ１２を介して入力されたＲＦ信号を増幅するＲＦ増幅回路３０と、ＲＦ増幅回路３０の出力を、後段での処理に適した振幅となるよう減衰させる可変減衰器３２と、第２チューニング信号ＶＴ２に従って通過帯域が設定され、ＲＦ増幅回路３０，可変減衰器３２を介して入力されるＲＦ信号のうち、設定された通過帯域内の信号のみを通過させるチューナブルバンドパスフィルタ（チューナブルＢＰＦ）３４と、第１チューニング信号ＶＴ１に従って１３５２．７８ＭＨｚ〜２３１２．７８ＭＨｚ帯で発振周波数を制御可能な発振器３６と、チューナブルＢＰＦ３４にて帯域制限されたＲＦ信号に、発振器３６からの局部発振信号（ＬＯ信号）を混合して、ＲＦ信号をＩＦ信号に変換する周波数変換手段としてのミキサ３８と、中心周波数がＩＦ信号と同じ４０２．７８ＭＨｚ、帯域幅が２０ＭＨｚ程度に設定され、ミキサ３８にて生成されたＩＦ信号から、選局すべき特定チャンネル以外の不要な信号成分を除去する第２バンドパスフィルタ（以下単にＢＰＦという）４０と、ＢＰＦ４０にて抽出されたＩＦ信号を増幅するＩＦ増幅回路４２とを備えている。
【００３１】
また選局装置１４は、発振器３６の発振周波数を分周する分周器４４と、分周器４４からの分周信号、及び制御回路２８からの選局信号Ｓｓに基づいて、発振器３６の発振周波数が選局信号Ｓｓにて指定された周波数となるような第１チューニング信号ＶＴ１を生成するＰＬＬ回路４６と、制御回路２８からの切換信号ＳｃがHighレベルの時に、固定電圧（２２Ｖ）を供給するスイッチング回路４８とを備えている。また、第１チューニング信号ＶＴ１及びスイッチング回路４８の出力のうち、電圧値の大きい方が第２チューニング信号ＶＴ２として印加されるよう、ＰＬＬ回路４６及びスイッチング回路４８とチューナブルＢＰＦ３４の間には、ダイオードＤ１，Ｄ２がそれぞれ接続されている。
【００３２】
即ち、選局装置１４では、第１チューニング信号ＶＴ１により発振器３６の発振周波数、即ちＬＯ信号の周波数が設定され、第２チューニング信号ＶＴ２によりチューナブルＢＰＦ３４の通過帯域が設定される。そして特に、第２チューニング信号ＶＴ２の電圧値は、切換信号ＳｃがLow レベルの場合に、第１チューニング信号ＶＴ１に応じて増減し、切換信号ＳｃがHighレベルの場合に、スイッチング回路４８からの固定電圧に保持されるようにされている。
【００３３】
ここで、図３は、チューナブルＢＰＦ３４の具体的な構成を表す回路図である。
図３に示すように、チューナブルＢＰＦ３４は、例えばプリント基板上に蛇行した配線パターンとして形成されるインダクタンスＬ１，Ｌ２、及び両端に印加される逆極性の制御電圧の大きさに応じて、容量分が変化する周知のバリキャップＶＣ１，ＶＣ２，ＶＣ３をはしご状に接続してなり、入力端子ａに印加される信号のうち、設定された下限周波数より周波数の高い信号成分を通過させるハイパスフィルタ部５０と、インダクタンスＬ３，Ｌ４，Ｌ５、及びバリキャップＶＣ４，ＶＣ５をはしご状に接続してなり、ハイパスフィルタ部５０が出力する信号のうち、設定された上限周波数より周波数の低い信号成分を通過させ出力端子ｃに出力するローパスフィルタ部５２とを備えている。
【００３４】
また、チューナブルＢＰＦ３４では、コンデンサＣ１を介して接地された制御端子ｃに入力される第２チューニング信号ＶＴ２が、抵抗Ｒ１を介してローパスフィルタ部５２と出力端ｂとの間に印加され、バリキャップＶＣ３〜ＶＣ４のバイアス電圧として用いられていると共に、抵抗Ｒ２，Ｒ３，Ｒ４及びコンデンサＣ２からなるバイアス回路５４を介して、バリキャップＶＣ１，ＶＣ２のバイアス電圧としても用いられるように構成されている。
【００３５】
このように構成されたチューナブルＢＰＦ３４は周知のものであり、第２チューニング信号ＶＴ２の電圧値に応じて、各バリキャップＶＣ１〜ＶＣ５に印加される直流バイアス電圧が変化し、これに従って、容量分が変化することにより、ハイパスフィルタ部５０の通過帯域の下限周波数、及びローパスフィルタ部５２の通過帯域の上限周波数が変化するようにされている。
【００３６】
但し、本実施例では、第２チューニング信号ＶＴ２の電圧値の変化（上昇）に対して、下限周波数より上限周波数の方が大きく変化（上昇）するように設定され、また選局信号Ｓｓの設定毎にきまる通過帯域は、選局信号Ｓｓにより指定される特定チャンネルが、通過帯域のほぼ下限に位置するように設定されている。即ち、図５に示すように、チューナブルＢＰＦ３４の通過帯域は、選局信号Ｓｓにて指定されるチャンネルＡ〜Ｄを含むように通過帯域がシフトするだけでなく、特定チャンネルＡ〜Ｄの周波数が高くなるほど、その帯域幅が高周波側により広がるように設定されている。
【００３７】
しかも、第２チューニング信号ＶＴ２としてスイッチング回路４８からの固定電圧がチューナブルＢＰＦ３４に印加された場合、中心周波数が予め設定された切換周波数ｆth（本実施例では、１９１０ＭＨｚ）に等しいチャンネルＣから、最大周波数のチャンネルＤ（中心周波数２１５０ＭＨｚ）の間の全てのチャンネルを含んだものとなるように設定されている。
【００３８】
次に、制御回路２８にて実行される選局制御について説明する。
なお、この選局制御は、選局装置１４にて選局すべきチャンネル、即ち信号レベルを測定すべきチャンネルが、何等かの方法により指定された場合に起動され、指定されたチャンネルの信号が、選局装置１４にて抽出されＩＦ信号に変換されるように、切換信号Ｓｃ及び選局信号Ｓｓを制御する処理である。
【００３９】
また、選局すべきチャンネルは、例えば、当該装置２の使用者により操作部２０を介して指定されるものであってもよいし、制御回路２８が自動的に全チャンネルの信号レベルを測定する処理を行う場合であれば、この処理によって順次指定されるものであってもよい。
【００４０】
図４に示すように、本処理が起動されると、まずＳ１１０では、選局装置１４にて選局すべきチャンネルの中心周波数が、予め設定された切換周波数ｆthより小さいか否かを判断し、肯定判定された場合には、Ｓ１２０に移行する。
Ｓ１２０では、切換信号ＳｃをLow レベルに設定し、続くＳ１３０では、選局すべきチャンネルの信号に対して、アッパーローカルとなるＬＯ信号が発振器３６から出力されるような選局信号Ｓｓを設定し、本処理を終了する。
【００４１】
一方、先のＳ１１０にて、否定判定された場合、即ち、選局すべきチャンネルの中心周波数が切換周波数ｆth以上である場合には、Ｓ１４０に移行する。
Ｓ１４０では、切換信号ＳｃをHighレベルに設定し、続くＳ１５０では、選局すべきチャンネルの信号に対して、ロウワーローカルとなるＬＯ信号が発振器３６から出力されるよう選局信号Ｓｓを設定し、本処理を終了する。
【００４２】
即ち、本処理では、選局すべきチャンネルの中心周波数が切換周波数ｆthより小さければアッパーローカルを用い、切換周波数ｆth以上であればロウワーローカルを用いてＲＦ信号をＩＦ信号に変換する。
そして、図５，６に示すように、アッパーローカル時には、選局信号Ｓｓに応じてＰＬＬ回路４６から出力される第１チューニング信号ＶＴ１は、１．８Ｖ≦ＶＴ１＜２１Ｖの範囲で変化し、発振器３６に１３５２．７８ＭＨｚ〜２３１２．７８ＭＨｚのＬＯ信号を発生させる。その結果、９５０ＭＨｚ〜１９１０ＭＨｚにある各チャンネルの信号がＩＦ信号に変換されることになる。この時、第２チューニング信号ＶＴ２は、ダイオードＤ１での電圧降下分をＶｆとすると、第１チューニング信号ＶＴ１に従って、１．８−Ｖｆ≦ＶＴ２＜２１−Ｖｆの範囲で変化し、選局すべきチャンネルの信号が通過するように、チューナブルＢＰＦ３４の通過帯域を変化させる。
【００４３】
一方、ロウワーローカル時には、第１チューニング信号ＶＴ１は４Ｖ≦ＶＴ１≦８Ｖの範囲で変化し、発振器３６に１５０７．２２ＭＨｚ〜１７４７．２２ＭＨｚのＬＯ信号を発生させる。その結果、１９１０ＭＨｚ〜２１５０ＭＨｚにある各チャンネルの信号がＩＦ信号に変換されることになる。この時、第２チューニング信号ＶＴ２は、スイッチング回路４８からダイオードＤ２を介して印加される固定電圧（２２−Ｖｆ［Ｖ］）となり、チューナブルＢＰＦ３４の通過帯域を、１９１０ＭＨｚ〜２１５０ＭＨｚの信号を全て通過させるものに固定する。
【００４４】
つまり、図６に示すように、中心周波数が切換周波数ｆthより小さいチャンネルＡ，Ｂの信号は、それぞれアッパーローカルのＬＯ信号ＵＡ，ＵＢにてＩＦ信号に変換され、また、中心周波数が切換周波数ｆth以上であるチャンネルＣ，Ｄの信号は、それぞれロウワーローカルのＬＯ信号ＬＣ，ＬＤにてＩＦ信号に変換されることになる。
【００４５】
なお、本実施例では、制御装置２８が実行する選局制御（Ｓ１１０〜Ｓ１５０）及びＰＬＬ回路４６，スイッチング回路４８が選局制御手段に相当する。
以上説明したように、本実施例の選局装置１４によれば、ＲＦ信号から所望チャンネルの信号を選局する際に、その中心周波数が切換周波数ｆthより小さい場合はアッパーローカルを用い、また切換周波数ｆth以上である場合はロウワーローカルを用いてＩＦ信号に周波数変換しており、アッパーローカル時ととロウワーローカル時とでＬＯ信号の周波数領域が重なり合うようにされているので、発振器３６での発振周波数の制御範囲を小さくすることができる。
【００４６】
また、本実施例の選局装置１４では、ＲＦ信号の帯域制限を行うチューナブルＢＰＦ３４は、通過させるべきチャンネルの中心周波数が高いほど、通過帯域の帯域幅が高周波側に広がり、切換周波数ｆth以上の中心周波数を有する全てのチャンネルの信号を通過可能とする通過帯域の設定が存在するように構成され、ロウワーローカル時には、通過させるチャンネルに関わらず、この設定を用いるようにされているので、チューナブルＢＰＦ３４の制御範囲を小さくすることができる。
【００４７】
つまり、本実施例の選局装置１４によれば、ＲＦ信号の周波数範囲を広げる際に、発振器３６やチューナブルＢＰＦ３４による発振周波数や通過帯域の制御範囲を広げる必要がなく、従って、第１及び第２チューニング信号ＶＴ１，ＶＴ２を生成するための電源電圧を高くしたり、発振器３６やチューナブルＢＰＦ３４を複数設けたりする必要がないため、装置構成を簡易なものとすることができる。
【００４８】
そして、本実施例の選局装置１４を用いれば、より広い周波数範囲のＲＦ信号に対応することができるため、周波数帯の異なる様々なコンバータからのＲＦ信号の信号レベルを測定可能な信号レベル測定器２を、コンパクトに構成することができる。
【００４９】
以上、本発明の一実施例について説明したが、本発明は上記実施例に限定されるものではなく、様々な態様にて実施することができる。
例えば、上記実施例では、切換周波数ｆthを１９１０ＭＨｚに設定したが、ＵＨＦバンドの上限周波数（７７０ＭＨｚ）より、ＩＦ信号の中心周波数（上記実施例では４０２．７８ＭＨｚ）以上大きければ、どのような値に設定してもよく、特に、アッパーローカル時とロウワーローカル時とで、ＬＯ信号の周波数領域の重なり合う領域ができるだけ大きくなるように設定することが望ましい。
【図面の簡単な説明】
【図１】本実施例の選局装置の構成を表すブロック図である。
【図２】本実施例の選局装置が適用された信号レベル測定器の全体構成を表すブロック図である。
【図３】チューナブルＢＰＦの詳細構成を表す回路図である。
【図４】制御回路が実行する選局制御の内容を表すフローチャートである。
【図５】チューナブルＢＰＦ及びミキサでの動作等を表す説明図である。
【図６】発振器の制御範囲及び発振器にて生成されるＬＯ信号を表す説明図である。
【符号の説明】
２…信号レベル測定器      ４…パラボラアンテナ      ６…コンバータ
８…伝送線      １０…入力端子    １２…電源分離フィルタ
１４…選局装置    １６…復調回路    １８…Ａ／Ｄコンバータ
２０…操作部      ２２…表示装置    ２４…表示制御回路
２６…電圧発生回路    ２８…制御回路    ３０…ＲＦ増幅回路
３２…可変減衰器    ３４…チューナブルＢＰＦ    ３６…発振器
３８…ミキサ      ４０…ＢＰＦ    ４２…ＩＦ増幅回路    ４４…分周器
４６…ＰＬＬ回路    ４８…スイッチング回路    ５０…ハイパスフィルタ部
５２…ローパスフィルタ部    ５４…バイアス回路
Ｃ１，Ｃ２…コンデンサ    Ｄ１，Ｄ２…ダイオード    Ｒ１〜Ｒ４…抵抗
Ｌ１〜Ｌ５…インダクタンス    ＶＣ１〜ＶＣ５…バリキャップ
【図１】
0004095709.tif 000002
【図２】
0004095709.tif 000003
【図３】
0004095709.tif 000004
【図４】
0004095709.tif 000005
【図５】
0004095709.tif 000006
【図６】
0004095709.tif 000007